(57)【要約】【課題】ユーザの使用状況に応じて、通話時における受話音量レベルを適応的に調整する。【解決手段】携帯電話機１の傾きを検出する加速度センサ１７と、相手側端末からの着信を検出する無線部１３と、無線部１３により検出された着信を基に、予め設定された第１音量レベルで着信音を出力する音声出力部１６と、音声出力部１６から出力されている第１音量レベルの着信音に対する通話操作を基に、相手側端末との通話における受話音量レベルを、第１音量レベルから音量レベルが小さい第２音量レベルに設定する制御部１１と、を備える。制御部１１は、加速度センサ１７により携帯電話機１の傾きが縦向きでないと検出された場合には、相手側端末との通話における受話音量レベルを、第２音量レベルから第１音量レベルに設定する。【選択図】図１
2013005276.tif 000002
【特許請求の範囲】
【請求項１】
相手側端末と通話する携帯電話機であって、
前記携帯電話機の傾きを検出する加速度センサと、
前記相手側端末からの着信を検出する着信検出部と、
前記着信検出部により検出された前記着信を基に、予め設定された第１音量レベルで着信音を出力する音声出力部と、
前記音声出力部から出力されている前記第１音量レベルの着信音に対する通話操作を基に、前記相手側端末との通話における受話音量レベルを、前記第１音量レベルから音量レベルが小さい第２音量レベルに設定する制御部と、を備え、
前記制御部は、前記加速度センサにより前記携帯電話機の傾きが縦向きでないと検出された場合には、前記相手側端末との通話における受話音量レベルを、前記第２音量レベルから前記第１音量レベルに設定する携帯電話機。
【請求項２】
請求項１に記載の携帯電話機であって、
前記制御部は、前記加速度センサにより前記携帯電話機の傾きが縦向きであると検出された場合には、前記相手側端末との通話における受話音量レベルを、前記第１音量レベルから前記第２音量レベルに設定する携帯電話機。
【請求項３】
請求項１又は２に記載の携帯電話機であって、
前記制御部は、前記加速度センサにより前記携帯電話機の傾きが縦向きであると検出されるまで、前記相手側端末との通話における受話音量レベルの調整操作を不許可する携帯電話機。
【請求項４】
請求項１〜３のうちいずれか一項に記載の携帯電話機であって、
前記制御部は、前記加速度センサにより前記携帯電話機の傾きが縦向きでないと検出されるまで、前記相手側端末との通話における受話音量レベルの調整操作を許可する携帯電話機。
【請求項５】
請求項１〜４のうちいずれか一項に記載の携帯電話機であって、
前記相手側端末との通話時における音声を入力するマイクロホンと、
前記第１音量レベル及び前記第２音量レベルのうちいずれかの受話音量レベルに応じて、前記マイクロホンの収音感度を切り換えるマイクロホン感度切換部と、を更に備える携帯電話機。
【請求項６】
請求項１〜５のうちいずれか一項に記載の携帯電話機であって、
前記携帯電話機の筺体の長手方向が鉛直方向に略平行である場合に、前記携帯電話機の傾きが縦向きとなる携帯電話機。
【請求項７】
請求項１〜６のうちいずれか一項に記載の携帯電話機であって、
前記音声出力部は、前記第１音量レベルをスピーカからの音量レベルとして出力し、前記第２音量レベルをレシーバからの音量レベルとして出力する携帯電話機。
【請求項８】
相手側端末との通話時における携帯電話機の音量レベル調整方法であって、
前記携帯電話機の傾きを検出するステップと、
前記相手側端末からの着信を検出するステップと、
前記検出された前記相手側端末からの着信を基に、予め設定された第１音量レベルで着信音を出力するステップと、
前記出力されている前記第１音量レベルの着信音に対する通話操作を基に、前記相手側端末との通話における受話音量レベルを、前記第１音量レベルから音量レベルが小さい第２音量レベルに設定するステップと、
前記加速度センサにより前記携帯電話機の傾きが縦向きでないと検出された場合に、前記相手側端末との通話における受話音量レベルを、前記第２音量レベルから前記第１音量レベルに設定するステップと、を備える音量レベル調整方法。
【発明の詳細な説明】
【技術分野】
【０００１】
本発明は、通話時における音量レベルを調整する携帯電話機及び音量レベル調整方法に関する。
【背景技術】
【０００２】
内部スピーカに設定された最大の出力音量レベルで通話先の相手の音声が出力されている状態においてユーザの耳が痛むことを回避する携帯電話機が従来、知られている（例えば、特許文献１参照）。
【０００３】
特許文献１の携帯電話機は、距離センサから発射される赤外線を用いて携帯電話機とユーザの顔との距離を測定し、携帯電話機本体の両側に設けられたタッチセンサを用いてユーザが携帯電話機を手で保持しているか否かを判断する。携帯電話機は、距離センサの測定結果及びタッチセンサの判断結果に応じて、レシーバの出力を調整する。
【先行技術文献】
【特許文献】
【０００４】
【特許文献１】特開平９−２４７２６０号公報
【発明の概要】
【発明が解決しようとする課題】
【０００５】
しかしながら、上述した特許文献１の携帯電話機においては、距離センサは人と物とを区別して検出することができないと考えられる。図５（Ａ）は、従来の携帯電話機１００において距離センサ５０がストラップＳＴを人と認識してハンドセット通話の状態であると誤って認識する様子を表す説明図である。ストラップＳＴ等のアクセサリが携帯電話機１００に付属されている場合には、距離センサ５０は、携帯電話機１００がハンドセット通話の状態であると誤って認識する可能性があった。
【０００６】
また、上述した特許文献１の携帯電話機を用いてハンズフリー通話又はテレビ電話を行う際、ユーザは、携帯電話機を手で保持している状態又は図５（Ｂ）に示す様な机ＤＫ等の平面上に置く。携帯電話機１００が机ＤＫ上に置かれていると、タッチセンサ６０は、携帯電話機１００がハンドセット通話の状態であると誤って認識する可能性があった。図５（Ｂ）は、従来の携帯電話機１００が例えば机ＤＫ上に置かれた場合に、タッチセンサ６０が、ユーザが携帯電話機１００を手で保持していると誤って認識する様子を表す説明図である。
【０００７】
以上により、上述した特許文献１の携帯電話機１００においては、距離センサ５０又はタッチセンサ６０がユーザの使用状況（ハンドセット通話の状態、ハンズフリー通話の状態等）を誤って認識する可能性があった。このため、ユーザの使用状況に応じた受話音量レベルが出力されない可能性があるという課題があった。
【０００８】
本発明は、上述した従来の事情に鑑みてなされたものであり、ユーザの使用状況に応じて、通話時における受話音量レベルを適応的に調整する携帯電話機及び音量レベル調整方法を提供することを目的とする。
【課題を解決するための手段】
【０００９】
本発明は、上述した携帯電話機であって、相手側端末と通話する携帯電話機であって、前記携帯電話機の傾きを検出する加速度センサと、前記相手側端末からの着信を検出する着信検出部と、前記着信検出部により検出された前記着信を基に、予め設定された第１音量レベルで着信音を出力する音声出力部と、前記音声出力部から出力されている前記第１音量レベルの着信音に対する通話操作を基に、前記相手側端末との通話における受話音量レベルを、前記第１音量レベルから音量レベルが小さい第２音量レベルに設定する制御部と、を備え、前記制御部は、前記加速度センサにより前記携帯電話機の傾きが縦向きでないと検出された場合には、前記相手側端末との通話における受話音量レベルを、前記第２音量レベルから前記第１音量レベルに設定する。
【００１０】
本発明は、上述した音量レベル調整方法であって、相手側端末との通話時における携帯電話機の音量調整方法であって、前記携帯電話機の傾きを検出するステップと、前記相手側端末からの着信を検出するステップと、前記検出された前記相手側端末からの着信を基に、予め設定された第１音量レベルで着信音を出力するステップと、前記出力されている前記第１音量レベルの着信音に対する通話操作を基に、前記相手側端末との通話における受話音量レベルを、前記第１音量レベルから音量レベルが小さい第２音量レベルに設定するステップと、前記加速度センサにより前記携帯電話機の傾きが縦向きでないと検出された場合に、前記相手側端末との通話における受話音量レベルを、前記第２音量レベルから前記第１音量レベルに設定するステップと、を備える。
【００１１】
上述した構成によれば、ユーザの使用状況に応じて、通話時における受話音量レベルを適応的に調整することができる。
【発明の効果】
【００１２】
本発明によれば、ユーザの使用状況に応じて、通話時における受話音量レベルを適応的に調整することができる。
【図面の簡単な説明】
【００１３】
【図１】本実施形態の携帯電話機のハードウェア構成を示すブロック図
【図２】本実施形態の携帯電話機の外観図
【図３】（Ａ）ハンドセット通話の様子を示す説明図、（Ｂ）ハンズフリー通話の様子を示す説明図、（Ｃ）机等の平面上に置かれたときの様子を示す説明図
【図４】本実施形態の携帯電話機の動作を説明するフローチャート
【図５】（Ａ）従来の携帯電話機において距離センサが、ストラップを人と認識してハンドセット通話の状態であると誤って認識する様子を表す説明図、（Ｂ）従来の携帯電話機が例えば机上に置かれた場合に、タッチセンサが、ユーザが携帯電話機を手で保持していると誤って認識する様子を表す説明図
【発明を実施するための形態】
【００１４】
以下、本発明に係る携帯電話機の実施形態について、図面を参照して説明する。本発明に係る携帯電話機は、例えばスマートフォンにも適用可能である。
【００１５】
なお、本発明は、携帯電話機の様な装置、又は携帯電話機をコンピュータとして動作させるためのプログラムとして表現することも可能である。更に、本発明は、携帯電話機により実行される処理（ステップ）を含む音量レベル調整方法として表現することも可能である。即ち、本発明は、装置、方法及びプログラムのうちいずれのカテゴリーでも表現可能である。
【００１６】
（携帯電話機の構成）
図１は、本実施形態の携帯電話機１のハードウェア構成を示すブロック図である。携帯電話機１は、図１に示す様に、制御部１１、操作部１２、アンテナ１４が接続されている無線部１３、増幅部１５、音声出力部１６、加速度センサ１７、マイクロホン感度切換部１８、マイクロホン１９、表示制御部２０、表示部２１、ＲＡＭ（Random Access Memory）２２及びＲＯＭ（Read Only Memory）２３を含む構成である。
【００１７】
制御部１１は、携帯電話機１に内蔵されるＣＰＵ（Central Processing Unit）を用いて構成され、携帯電話機１の各部の動作を制御する。制御部１１の動作は図４を参照して後述する。
【００１８】
操作部１２は、携帯電話機１のユーザが携帯電話機１に対する操作を入力するためのユーザインタフェースであり、ユーザの操作内容に応じた操作信号を制御部１１に出力する。例えば、操作部１２は、ユーザの操作内容、例えば携帯電話機１に相手側の携帯電話機（以下、相手側の携帯電話機を「相手側端末」という）からの着信が検出された場合に通話を開始するための通話ボタンの押下操作に応じた操作信号を制御部１１に出力する。
【００１９】
具体的に、操作部１２は、電話番号等を入力するテンキー、オンフック又はオフフックを行う通話器キー及びファンクションキー等の各種キーで構成可能である。又、操作部１２は、表示部２１の上に配置され、ユーザの指又はスタイラスペン等による入力操作を受け付け可能なタッチパネルで構成されても良い。
【００２０】
着信検出部としての無線部１３は、相手側端末からの外線若しくは内線の着信を検出可能な無線通信回路を用いて構成され、アンテナ１４を介して相手側端末からの着信を検出し、着信を検出した旨を制御部１１に出力する。また、無線部１３は、アンテナ１４を介して受信された相手側端末からの通話音声を復調して制御部１１に出力する。更に、無線部１３は、通話時におけるユーザからの入力音声を変調してアンテナ１４及び不図示の無線基地局等を介して相手側端末に送信する。
【００２１】
増幅部１５は、音声出力部１６から出力される着信音又は通話音声の音量レベルを、制御部１１から出力された音声出力指示に応じてそれぞれ所定の音量レベルに増幅する。例えば、増幅部１５は、着信を検出した旨が制御部１１に入力された場合に、予め設定されている着信音の音量レベル（以下、予め設定されている着信音の音量レベルを「第１音量レベル」という）で着信音を出力する旨の音声出力指示及び着信音データを制御部１１から取得する。増幅部１５は、取得された音声出力指示及び着信音データを基に、音声出力部１６から出力される着信音の音量レベルを第１音量レベルに増幅する。
【００２２】
なお、着信音データは、携帯電話機１の図示していない記憶部に記憶され、ユーザ操作に応じて操作部１２から出力された操作信号を基に適宜、変更可能に設定される。更に、着信音の音量レベルは、ユーザ操作に応じて操作部１２から出力された操作信号を基に変更可能に設定される。
【００２３】
また、増幅部１５は、相手側端末からの通話音声が制御部１１に入力された場合に、予め設定されている受話音量の音量レベル（以下、予め設定されている受話音量の音量レベルを「第２音量レベル」という）で通話音声を出力する旨の音声出力指示及び通話音声データを制御部１１から取得する。増幅部１５は、取得された音声出力指示及び通話音声データを基に、音声出力部１６から出力される通話音声の音量レベルを第２音量レベルに増幅する。
【００２４】
音声出力部１６は、スピーカとレシーバとを兼用した音声出力素子を用いて構成され、スピーカ音として着信音を出力する場合には、第１音量レベルで着信音を出力する。音声出力部１６は、ユーザが携帯電話機１を用いて相手側端末と通話する場合にレシーバ音として通話音声を出力する場合には、第２音量レベルで相手側端末からの通話音声を出力する。
【００２５】
加速度センサ１７は、携帯電話機１の動き及び傾きを検出可能なセンサを用いて構成され、携帯電話機１の動きを検出した場合に、携帯電話機１が動いた旨を制御部１１に出力する。また、加速度センサ１７は、携帯電話機１の傾きを検出した場合に、携帯電話機１の傾きを制御部１１に出力する。
【００２６】
マイクロホン感度切換部１８は、制御部１１から出力された携帯電話機１の傾きを基に、マイクロホン１９の収音感度を、携帯電話機１のユーザの使用状況として例えばハンドセット通話状態又はハンズフリー通話状態に応じた各収音感度の値に切り換える。また、マイクロホン感度切換部１８は、携帯電話機１が例えば机等の平面上に置かれている場合には（図３（Ｃ）参照）、携帯電話機１がハンズフリー通話状態である場合と同様の収音感度の値に切り換える。
【００２７】
ハンドセット通話状態では、ユーザは携帯電話機１を手で保持して耳に直接当てるか又は耳に近づけて通話する。このため、マイクロホン感度切換部１８は、マイクロホンの収音感度の値を所定の第１収音感度の値に設定する。ハンズフリー通話状態又は携帯電話機１が平面上に置かれている場合には、ユーザは携帯電話機１を耳から離す。このため、マイクロホン感度切換部１８は、マイクロホンの収音感度の値を所定の第２収音感度の値に設定する。第２収音感度の値は第１収音感度の値よりも大きな値となる。
【００２８】
マイクロホン１９は、携帯電話機１のユーザからの通話音声を収音する。なお、図１には図示していないが、マイクロホン１９により収音された通話音声は電気信号に変換され、制御部１１、無線部１３及びアンテナ１４を介して相手側端末に送信される。これにより、携帯電話機１のユーザは相手側端末のユーザと通話することができる。
【００２９】
表示制御部２０は、携帯電話機１に内蔵されるＣＰＵを用いて構成され、制御部１１から出力された表示指示及び情報若しくはデータを取得し、表示指示に基づいて情報若しくはデータを表示部２１に表示する。
【００３０】
表示部２１は、ＬＣＤ（Liquid Crystal Display）を用いて構成され、表示制御部２０の制御の下で、ユーザ操作に応じて操作部１２から出力された操作信号に応じて、情報若しくはデータを表示する。
【００３１】
ＲＡＭ２２は、制御部１１、操作部１２、無線部１３、又は表示制御部２０の各動作におけるワークメモリとして動作する。なお、図１においては、操作部１２、無線部１３又は表示制御部２０からＲＡＭ２２への矢印の図示を省略している。
【００３２】
ＲＯＭ２３は、携帯電話機１における制御部１１及び表示制御部２０の各動作が予め規定されたプログラムを記憶している。なお、制御部１１は、ハードウェア又はソフトウェアで構成することが可能である。特に、制御部１１がソフトウェアにより構成される際には、携帯電話機１に内蔵されているＣＰＵが制御部１１の各動作が予め規定されたプログラムをＲＯＭ２３から読み出すことにより、制御部１１が動作可能となる。なお、図１においては、ＲＯＭ２３への矢印の図示を省略している。
【００３３】
（携帯電話機の外観及び使用状況）
次に、本実施形態の携帯電話機１の外観及び使用状態について、図２及び図３を参照して説明する。図２は、本実施形態の携帯電話機１の外観図である。図３（Ａ）は、ハンドセット通話の様子を示す説明図である。図３（Ｂ）は、ハンズフリー通話の様子を示す説明図である。図３（Ｃ）は、机等の平面上に置かれたときの様子を示す説明図である。
【００３４】
音声出力部１６は、スピーカ音として着信音を出力すると共に、レシーバ音として相手側端末からの通話音声を出力する。また、図２に示す様に、本実施形態の携帯電話機１においては、操作部１２は、表示部２１の上に配置されたタッチパネルを用いて構成されているとする。
【００３５】
図３（Ａ）に示す様に、ハンドセット通話の状態では、ユーザは、携帯電話機１を手で保持して耳に直接当てる若しくは耳に近づける。このため、ハンドセット通話の状態では、携帯電話機１は縦向き、即ち、携帯電話機１の筺体の長手方向が鉛直方向に略平行となる。
【００３６】
図３（Ｂ）に示す様に、ハンズフリー通話又はテレビ（ＴＶ）電話の状態では、ユーザは、携帯電話機１を手で保持して耳から遠ざけてユーザ自身の手前に向ける。このため、ハンズフリー通話又はテレビ電話の状態では、携帯電話機１は縦向きではなく、横向きとなる。
【００３７】
図３（Ｃ）に示す様に、机ＤＫ等の平面に置かれた状態では、携帯電話機１は上向き、即ち、携帯電話機１の表示部２１が鉛直方向に直交する。
【００３８】
（携帯電話機の動作）
次に、本実施形態の携帯電話機１の動作について図４を参照して説明する。図４は、本実施形態の携帯電話機１の動作を説明するフローチャートである。図４のフローチャートは、相手側端末から着信があった場合をスタート時点とする。
【００３９】
図４において、無線部１３は、相手側端末からの着信を検出した場合には、着信を検出した旨を制御部１１に出力する。制御部１１は、無線部１３からの出力を基に、携帯電話機１において予め設定された第１音量レベルで着信音を出力する旨の音声出力指示及び着信音データを増幅部１５に出力する。増幅部１５は、取得された音声出力指示及び着信音データを基に、音声出力部１６から出力される着信音の音量レベルを第１音量レベルに増幅する。音声出力部１６は、増幅部１５により増幅された第１音量レベルで着信音をスピーカ音として出力する（Ｓ１１）。
【００４０】
ユーザ操作によって着信に対する通話ボタンの押下操作が行われた場合に（Ｓ１２、ＹＥＳ）、制御部１１は、ユーザの押下操作に応じた操作信号を操作部１２から取得する。制御部１１は、操作部１２からの操作信号を取得した後、無線部１３により復調された通話音声データ及び音声出力指示を増幅部１５に出力する。増幅部１５は、取得された通話音声データ及び音声出力指示を基に、音声出力部１６から出力される通話音声の音量レベル（受話音量レベル）を第２音量レベルに増幅する。音声出力部１６は、増幅部１５により増幅された第２音量レベルで相手側端末からの通話音声をレシーバ音として出力する（Ｓ１３）。
【００４１】
ステップＳ１３の直後又はステップＳ１３と同時に、制御部１１は、ユーザ操作として受話音量レベルの調整操作の入力を不許可する（Ｓ１４）。これにより、操作部１２が表示部２１の上にタッチパネルを用いて構成されているため、携帯電話機１は、ステップＳ１４の動作によって、ハンドセット通話の状態においてユーザが誤って受話音量レベルを第２音量レベルよりも大きい音量レベルに設定してユーザの耳を痛めることを回避することができる。ステップＳ１４の後、携帯電話機１は、ハンドセット通話が可能となる（Ｓ１５）。なお、上述した様に、ハンドセット通話の状態では、携帯電話機１は縦向きとなる（図３（Ａ）参照）。
【００４２】
ハンドセット通話の状態において加速度センサ１７により携帯電話機１に動きがあり且つ縦向きでないと検出された場合には（Ｓ１６−ＹＥＳ、Ｓ１７−ＮＯ）、制御部１１は、加速度センサ１７からの出力を基に、ユーザ操作として受話音量レベルの調整操作の入力を許可する（Ｓ１８）。ハンドセット通話の状態において加速度センサ１７により携帯電話機１に動きがあっても縦向きであると検出された場合には（Ｓ１６−ＹＥＳ、Ｓ１７−ＹＥＳ）、ハンドセット通話の状態が維持される。
【００４３】
更に、制御部１１は、無線部１３により復調された通話音声データ及び音声出力指示を増幅部１５に出力する。増幅部１５は、取得された通話音声データ及び音声出力指示を基に、音声出力部１６から出力される通話音声の音量レベル（受話音量レベル）を第１音量レベルに増幅する。音声出力部１６は、増幅部１５により増幅された第１音量レベルで相手側端末からの通話音声をスピーカ音として出力する（Ｓ１９）。ステップＳ１９の後、携帯電話機１は、ハンズフリー通話（図３（Ｂ）参照）又は置き状態における通話（図３（Ｃ）参照）が可能となる（Ｓ２０）。なお、上述した様に、ハンズフリー通話の状態では携帯電話機１は横向きとなり（図３（Ｂ）参照）、置き状態における通話の状態では携帯電話機１は上向きとなる（図３（Ｃ）参照）。
【００４４】
ハンズフリー通話又は置き状態における通話の状態において加速度センサ１７により携帯電話機１に動きがあり且つ縦向きであると検出された場合には（Ｓ２１−ＹＥＳ、Ｓ２２−ＹＥＳ）、制御部１１は、無線部１３により復調された通話音声データ及び音声出力指示を増幅部１５に出力する。増幅部１５は、取得された通話音声データ及び音声出力指示を基に、音声出力部１６から出力される通話音声の音量レベル（受話音量レベル）を第２音量レベルに増幅する。音声出力部１６は、増幅部１５により増幅された第２音量レベルで相手側端末からの通話音声をレシーバ音として出力する（Ｓ１３）。
【００４５】
以上により、本実施形態の携帯電話機１は、ハンドセット状態の通話時において、加速度センサ１７から携帯電話機１に動きがあって縦向きでないと検出された場合には、相手側端末との通話時における受話音量レベルを、第２音量レベル（レシーバ音）から第１音量レベル（スピーカ音）に設定（調整）する。また、携帯電話機１は、ハンズフリー通話時又は置き状態における通話時において、加速度センサ１７から携帯電話機１に動きがあって縦向きであると検出された場合には、相手側端末との通話時における受話音量レベルを、第１音量レベル（スピーカ音）から第２音量レベル（レシーバ音）に設定（調整）する。
【００４６】
これにより、携帯電話機１によれば、ユーザの使用状況に応じて、通話時における受話音量レベルを適応的に調整することができる。また、携帯電話機１では、ハンドセット通話の状態においては音声出力部１６の音声出力時の音量レベルが第２音量レベルであるため、マイクロホン１９の収音感度は小さな値の第１収音感度に設定される。同様に、ハンズフリー通話又は置き状態の通話の状態においては音声出力部１６の音声出力部１６の音量レベルが第１音量レベルであるため、マイクロホン１９の収音感度は大きな値の第２収音感度に設定される。従って、携帯電話機１によれば、ユーザの使用状況（ハンドセット通話の状態、又はハンズフリー通話時若しくは置き状態の通話時）に応じて、適応的にマイクロホン１９の収音感度を適応的に設定することができる。
【００４７】
以上、図面を参照しながら各種の実施の形態について説明したが、本発明はかかる例に限定されないことは言うまでもない。当業者であれば、特許請求の範囲に記載された範疇内において、各種実施の形態の変更例または修正例、更に各種実施の形態の組み合わせ例に想到し得ることは明らかであり、それらについても当然に本発明の技術的範囲に属するものと了解される。
【００４８】
上述した実施形態において、音声出力部１６は、スピーカとレシーバとを兼用した音声出力素子を用いて構成されていたが、スピーカとレシーバとを別々の音声出力素子を用いて近接する位置に配置される様に構成されても良い。
【産業上の利用可能性】
【００４９】
本発明は、ユーザの使用状況に応じて、通話時における受話音量レベルを適応的に調整する携帯電話機及び音量レベル調整方法として有用である。
【符号の説明】
【００５０】
１  携帯電話機
１１  制御部
１２  操作部
１３  無線部
１４  アンテナ
１５  増幅部
１６  音声出力部
１７  加速度センサ
１８  マイクロホン感度切換部
１９  マイクロホン
２０  表示制御部
２１  表示部
２２  ＲＡＭ
２３  ＲＯＭ
【図１】
2013005276.tif 000003
【図２】
2013005276.tif 000004
【図３】
2013005276.tif 000005
【図４】
2013005276.tif 000006
【図５】
2013005276.tif 000007